(57)【要約】【課題】複数のユーザ回線を収容するモジュールを複数有する集線装置において、経済的にＱｏＳ制御を実施する。【解決手段】複数のユーザ回線を収容し、上位のネットワークに集線および振り分けを行う集線装置は、複数のユーザ回線を収容する複数の加入者側モジュールと、上位のネットワークに接続される複数の転送側ポートと、加入者側モジュールから接続可能な転送側ポートの数を、転送側ポートの総帯域があらかじめ定めたリンク速度以下となるようにスケジュールする回路を備える。【選択図】図１
2009141552.tif 000002
【特許請求の範囲】
【請求項１】
複数のユーザ回線を収容し、上位のネットワークに集線および振り分けを行う集線装置において、
前記複数のユーザ回線を収容する複数の加入者側モジュールと、
前記上位のネットワークに接続される複数の転送側ポートと、
前記加入者側モジュールから接続可能な前記転送側ポートの数を、該転送側ポートの総帯域があらかじめ定めたリンク速度以下となるようにスケジュールする回路と、
を備えていることを特徴とする集線装置。
【請求項２】
前記転送側ポートと接続されるスイッチをさらに含み、前記あらかじめ定めたリンク速度は、該スイッチと該転送側ポートのリンク速度であることを特徴とする請求項１に記載の集線装置。
【請求項３】
前記加入者側モジュールのうち少なくとも１箇所の形状はカード形状であることを特徴とする請求項１または２に記載の集線装置。
【発明の詳細な説明】
【技術分野】
【０００１】
本発明は、アクセス系伝送装置に関し、特に、複数のユーザ回線を収容し、スイッチ（ＳＷ）を介して上位のネットワークに集線および振り分けを行う集線装置に関する。
【背景技術】
【０００２】
複数のユーザ回線を収容する伝送装置においては、ユーザ間の公平性や優先度に応じた伝送制御を行うことが必要である。このことはサービス品質（ＱｏＳ）の制御の問題として検討されており、例えば特許文献１にみられるような、バッファメモリからの読み出し制御を回線間で読み出しが公平になるように確率制御する方法が提案されている。
【０００３】
【特許文献１】特開平１０−３１３３２２号公報
【発明の開示】
【発明が解決しようとする課題】
【０００４】
複数のユーザ回線を収容し、スイッチ（ＳＷ）を介して上位のネットワークに集線および振り分けを行う集線装置において、特許文献１にあるような方法を実施した場合には、読み出す側からみれば公平性が保てるが、データ量が多くなって出力バッファメモリに蓄積量が多くなると、この部分での負荷が大きくなってしまう。
【０００５】
このような課題を解決するために、出力側バッファメモリのデータ蓄積量を監視し、データ蓄積量があらかじめ設定した閾値を超えた場合には入力側のデータ送信部に出力停止命令を送って入力側にあるＱｏＳ制御部で公平制御を行うという方法（バックプレッシャ）が考えられる。
【０００６】
しかし、近年では、装置の建設や保守を効率化するなどの目的で、装置の各部についてモジュール化されることが多くなってきている。特に、集線装置においては、ユーザ回線をグルーピング化して、モジュール毎に収容することが多く行われるようになってきている。特に、モジュールをカード化して、いわゆるカードモジュールとすることが多い。このようなカードモジュール化された集線装置に対して上記の技術を適用しようとすると、複数のカードモジュール間に跨る場合のＱｏＳ制御がうまくいかないという欠点がある。なぜならば、例えば、入力側のデータ送信部に出力停止命令を送ったとしても、複数のカードモジュール間でのデータ優先関係を規定することができないからである。すなわち、このようなバックプレッシャ制御では、複数のカードモジュールが設置され、そのカードモジュール間で、トラフィックが発生しているユーザ回線数が大きく違うときやトラフィックに優先度がある場合に、ＱｏＳ制御がうまくいかない。
【０００７】
これを解決するために、出力側でユーザ回線数や優先度を把握した上でバックプレッシャをかける方法が一応考えられるが、処理が複雑になると共に、アクセスメモリ量が増大するため、装置構成も複雑となり経済的な実現は困難であった。
【課題を解決するための手段】
【０００８】
これを解決するためには、ユーザのカードモジュール側から接続設定可能な転送ポートの総帯域を、常にスイッチとカードの間のリンク速度以下となるように、転送側ポートの数をスケジューリングすればよい。
【０００９】
本発明によれば、複数のユーザ回線を収容し、上位のネットワークに集線および振り分けを行う集線装置において、前記複数のユーザ回線を収容する複数の加入者側モジュールと、前記上位のネットワークに接続される複数の転送側ポートと、前記加入者側モジュールから接続可能な前記転送側ポートの数を、該転送側ポートの総帯域があらかじめ定めたリンク速度以下となるようにスケジュールする回路とを備えている集線装置が提供される。
【００１０】
また、前記転送側ポートと接続されるスイッチをさらに含み、前記あらかじめ定めたリンク速度は、該スイッチと該転送側ポートのリンク速度であることも好ましい。
【００１１】
また、前記加入者側モジュールのうち少なくとも１箇所の形状はカード形状であることも好ましい。
【発明の効果】
【００１２】
複数のユーザ回線を収容するモジュールを複数有する集線装置において、経済的にＱｏＳ制御を実施することができる。
【発明を実施するための最良の形態】
【００１３】
図１は、本発明の実施形態における集線装置の一構成例を示している。この集線装置は、図１に示すように、複数の加入者側カード１、複数のスイッチカード２、複数の転送側カード３、および論理回路４から構成されている。
【００１４】
加入者側カード１は複数のユーザ回線を収容する加入者側にある加入者側モジュールであり、転送側カード３は上位のネットワークに接続される上位のネットワーク側にあるモジュールであり、スイッチカード２は加入者側カード１と転送側カード３を接続するためスイッチである。論理回路４は、後で説明されるスケジューリングを実行するための回路である。
【００１５】
この集線装置は、複数の加入者側ポートから入力するユーザ回線のトラフィックを集線し、ユーザ回線のトラフィックフロー毎に、接続する転送側ポートを設定する。ここで、加入者側ポートおよび転送側ポートは、それぞれ加入者側カード１、転送側カード３に設置される。また、加入者側ポートから入力するユーザ回線のトラフィックは、トラフィックフロー毎にあらかじめ設定した接続設定により転送側ポートに接続される。
【００１６】
前記集線装置に設置されている前記の加入者側カード１、および、前記転送側カード３は、それぞれ前記のスイッチカード２と一定のリンク速度（以下、このリンク速度をスイッチとカード間のリンク速度と呼ぶ）により接続される。
【００１７】
ここで、加入者側カード１の１つに収容される加入者側ポートの総帯域は、スイッチとカード間のリンク速度より大きくても、同等でも、小さくてもよいが、転送側カード３の１つに収容される転送側ポートの総帯域はスイッチとカード間のリンク速度より小さいようにあらかじめ設定されている。
【００１８】
さらに、加入者側カード１の１つから接続設定可能な転送側ポート数については、転送側ポート数の総帯域がスイッチとカードのリンク速度と同じになるように、各加入者側カード１からの送信をスケジューリングする。つまり、加入者側カード１毎に、
Σ転送側ポート帯域  ＝  スイッチとカードのリンク速度
（和は、加入者側カード１から接続された転送側ポート数分行われる。）
となるように、加入者側カード１からの送信をスケジューリングすることにより、転送側ポート数を制限する。
【００１９】
このとき、スイッチとカードのリンク速度より小さな速度でスケジューリングしてもよい。つまり、加入者側カード１毎に、
Σ転送側ポート帯域  ＜  スイッチとカードのリンク速度
（和は、加入者側カード１から接続された転送側ポート数分行われる。）
となるように、加入者側カード１からの送信をスケジューリングすることにより、転送側ポート数を制限する。このときのスケジューリングは、例えば集線装置に論理回路４を設置することによって行うことができる。
【００２０】
また、以上述べた実施形態は全て本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【図面の簡単な説明】
【００２１】
【図１】本発明の実施形態における集線装置の一構成例を示す。
【符号の説明】
【００２２】
１  加入者側カード
２  スイッチカード
３  転送側カード
４  論理回路
【図１】
2009141552.tif 000003